(57)【特許請求の範囲】
【請求項１】
固定子及び出力軸を有する回転子を収容し、前記出力軸が一端面から突出する略円筒状のハウジング、及びこのハウジングの他端面から突出する回転軸に取り付けられたファンを備える電動機において、前記ファンを防護する電動機用ファンカバーであって、
前記ファンの軸中心を中心として点対称になるように分割された分割ファンカバーであって、前記ファンを軸方向から覆うと共に、前記ファンの軸中心から所定の中心角を有して開角した背面板、及びこの背面板の端縁が屈曲されて前記ファンを外周方向から覆う帯状の円弧片を有する複数の分割ファンカバーと、
これらの分割ファンカバーが有底円筒を形成するように、複数の前記分割ファンカバーを相互に着脱自在に連結する連結金具と、を備え、
複数の前記分割ファンカバーは、前記ファンの軸中心を通る仮想の線分を軸に線対称に半分割された一対の分割ファンカバーで構成されており、回転又は遠心方向に離反できるように一体化されて前記ハウジングの端部に取り付けられ、
前記背面板は、複数の通風孔を開口しており、
前記連結金具は、前記円弧片の端部に取り付けられた鉤状のフックと、隣接する前記円弧片の端部に取り付けられた傾倒自在なレバーと、一方の端部が前記レバーと回動自在に連結し、他方の端部が前記フックと係合するループと、を有し、
前記円弧片は、前記ハウジングの端部の円周面に弾性をもって当接し、前記複数の前記分割ファンカバーが互いに離反する方向に付勢する波状板を内壁に取り付けている電動機用ファンカバー。
【発明の詳細な説明】
【技術分野】
【０００１】
本発明は、電動機用ファンカバーに関する。特に、電動機の軸で回されるファンを覆うファンカバーの構造に関する。
【背景技術】
【０００２】
交流電動機の代表例である誘導電動機は、固定子の作る回転磁界により、電気伝導体の回転子に誘導電流が発生し、滑りによる回転トルクを発生できる。三相交流を用いた三相誘導電動機は、特別な工夫をすることなく、回転磁場を得ることができるので、広く利用されている。
【０００３】
このような誘導電動機は、多数の巻線により磁界を発生させることから、連続して使用すると発熱してくる。したがって、略円筒状のハウジング（モータケース）に波状の襞（フィン）を形成して、放熱面積を多くすることにより、許容温度を超えないように誘導電動機を自然冷却している。更に、出力軸と反対側にハウジングから突出する支持軸（回転軸）にファンを取り付け、空気の移動量を増やすことで、許容温度を超えないように誘導電動機を強制冷却している。
【０００４】
一般に、誘導電動機に取り付けられたファンは、背面に多数の通風孔を有する円筒状のファンカバーで防護されている。そして、ファンに設けた複数の羽根が回転して外周方向に発生した冷却風は、ファンカバーの内周に当たり、軸方向に風向きを変えながらハウジングの外周に当てて冷却していた。
【０００５】
しかし、上記の構成では、ファンによって発生した冷却風は、ファンカバーの内周に直角方向に当たるため、軸方向に風向きを変えるには効率が悪く、スムーズに軸方向に流れる冷却風を送ることが困難であった。このような不具合を解消するため、ファンの両回転方向に冷却性能を確保できる誘導電動機が開示されている（例えば、特許文献１参照）。
【０００６】
特許文献１による誘導電動機は、放射線状に延びた複数枚の羽根と反出力軸側に固定するボスを兼ねたベースでファンが構成されている。更に、羽根は、個別のヒンジでベースに結合されている。したがって、羽根は、ヒンジで設定する任意の角度に傾倒でき、ファンから発生する冷却風は、両回転方向とも軸方向の風向きとなり、ファンカバーの内周に沿ってスムーズに電動機の外周面に当たるので、冷却性能を向上できる、としている。
【先行技術文献】
【特許文献】
【０００７】
【特許文献１】特開２０００−５０５７４号公報
【発明の概要】
【発明が解決しようとする課題】
【０００８】
特許文献１に開示されたような誘導電動機は、定期的又は不定期にファンを保守することがある。この場合、誘導電動機のハウジングの端部に嵌合した円筒状のファンカバーを軸方向に移動することで、ファンカバーをハウジングから取り外していた。
【０００９】
しかし、誘導電動機の背面側（ファンカバーの取り付け側）に配管などが設置されていると、ファンカバーの取り外しが困難になることがあった。一般に、このような誘導電動機は、背面側に所定の空間を設けるように設置されるが、誘導電動機の背面側に配管などが設置されていても、冷却性能に大きく影響しない。したがって、ファンカバーを取り外す段階まで、取り外しが困難になることに気が付かないのである。
【００１０】
このため、誘導電動機を固定ベースから外して、一旦、別の場所に誘導電動機を移動し、ファンカバーを取り外し、ファンを保守後に、再び、誘導電動機を元の場所に設置していた。
【００１１】
電動機の背面側に配置したファンカバーを軸方向に移動することなく、ファンカバーを取り外すことができたら、電動機を移動することなく、ファンを保守できるので、便利である。そして、以上のことが本発明の課題といってよい。
【００１２】
本発明は、このような問題に鑑みてなされたものであり、電動機の背面側に配置したファンカバーを軸方向に移動することなく、取り外しが容易な電動機用ファンカバーを提供することを目的とする。
【課題を解決するための手段】
【００１３】
本発明者らは、電動機の背面側に配置したファンカバーを遠心方向に移動できるように、二つ以上に均等分割することによって、ファンカバーを軸方向に移動することなく、ファンカバーを電動機から容易に取り外すことができることを見出し、これに基づいて、以下のような新たな電動機用ファンカバーを発明するに至った。
【００１４】
（１）  本発明による電動機用ファンカバーは、固定子及び出力軸を有する回転子を収容し、前記出力軸が一端面から突出する略円筒状のハウジング、及びこのハウジングの他端面から突出する回転軸に取り付けられたファンを備える電動機において、前記ファンを防護する電動機用ファンカバーであって、前記ファンの軸中心を中心として点対称になるように分割された分割ファンカバーであって、前記ファンを軸方向から覆うと共に、前記ファンの軸中心から所定の中心角を有して開角した背面板、及びこの背面板の端縁が屈曲されて前記ファンを外周方向から覆う帯状の円弧片を有する複数の分割ファンカバーと、これらの分割ファンカバーが有底円筒を形成するように、複数の前記分割ファンカバーを相互に着脱自在に連結する連結金具と、を備え、複数の前記分割ファンカバーは、前記ファンの軸中心を通る仮想の線分を軸に線対称に半分割された一対の分割ファンカバーで構成されており、回転又は遠心方向に離反できるように一体化されて前記ハウジングの端部に取り付けられ、前記背面板は、複数の通風孔を開口しており、前記連結金具は、前記円弧片の端部に取り付けられた鉤状のフックと、隣接する前記円弧片の端部に取り付けられた傾倒自在なレバーと、一方の端部が前記レバーと回動自在に連結し、他方の端部が前記フックと係合するループと、を有し、前記円弧片は、前記ハウジングの端部の円周面に弾性をもって当接し、前記複数の前記分割ファンカバーが互いに離反する方向に付勢する波状板を内壁に取り付けている。
【発明の効果】
【００１９】
本発明による電動機用ファンカバーは、電動機の背面側に配置したファンカバーを遠心方向に移動できるように、二つ以上に分割できるので、従来のようにファンカバーを軸方向に移動することなく、ファンカバーを電動機から容易に取り外すことができる。
【図面の簡単な説明】
【００２０】
【図１】本発明の一実施形態による電動機用ファンカバーの構成を示す斜視図であり、一対の分割ファンカバーが電動機から取り外された状態図である。
【図２】前記実施形態による電動機用ファンカバーの構成を示す斜視図であり、一対の分割ファンカバーを電動機に取り付けた状態図である。
【図３】前記実施形態による電動機用ファンカバーの背面図であり、中心線から右半分は電動機の背面を示している。
【図４】前記実施形態による電動機用ファンカバーの右側面図である。
【図５】前記実施形態による電動機用ファンカバーに備わる連結金具の構成を示す斜視図である。
【図６】前記実施形態による電動機用ファンカバーの構成を示す斜視図であり、図１と異なる方向から一対の分割ファンカバーを観ている。
【発明を実施するための形態】
【００２１】
以下、図面を参照して本発明を実施するための形態を説明する。
［電動機用ファンカバーの構成］
最初に、本発明の一実施形態による電動機用ファンカバーの構成を説明する。図１は、本発明の一実施形態による電動機用ファンカバーの構成を示す斜視図であり、一対の分割ファンカバーが電動機から取り外された状態図である。図２は、前記実施形態による電動機用ファンカバーの構成を示す斜視図であり、一対の分割ファンカバーを電動機に取り付けた状態図である。
【００２２】
図３は、前記実施形態による電動機用ファンカバーの背面図であり、中心線から右半分は電動機の背面を示している。図４は、前記実施形態による電動機用ファンカバーの右側面図である。
【００２３】
（電動機の構成）
図１から図４を参照すると、本発明に係る電動機１０は、略円筒状のハウジング１とファン３を備えている。ハウジング１は、図示しない固定子及び出力軸２ａを有する回転子を収容している。ファン３は、ハウジング１の一端面から突出した出力軸２ａと反対側に配置されている。ファン３は、ハウジング１の他端面から突出する回転軸２ｂに取り付けられている。電動機１０を駆動すると、ファン３を回転できる。
【００２４】
図１から図４を参照すると、ハウジング１は、略円筒状のハウジング本体１ａと一対の円板状のエンドプレート１ｂ・１ｂを有している。ハウジング本体１ａは、図示しない固定子などを保持している。一対のエンドプレート１ｂ・１ｂは、ハウジング本体１ａを軸方向から密閉すると共に、図示しない回転子を両端支持している。
【００２５】
図１から図４を参照すると、ハウジング本体１ａは、固定子及び回転子を通電するための端子箱１ｃを側面に設けている。又、ハウジング本体１ａは、電動機１０を設置するための脚部１ｄを底部に形成している。更に、ハウジング本体１ａは、波状のフィン１１ａを外面に形成しており、ファン３の送風をフィン１１ａに当てて強制冷却している。
【００２６】
図１又は図３を参照すると、ファン３は、ボス３ａと複数の羽根３ｂで構成している。ボス３ａは、回転軸２ｂに固定されている。複数の羽根３ｂは、ボス３ａから放射状に延びている。図示されたファン３は、軸方向から空気を吸い込み、軸方向に送風する軸流送風機となっている。羽根３ｂに整流板（図示せず）を設けて、ファン３を斜流送風機に構成してもよい。
【００２７】
（電動機用ファンカバーの構成）
引き続き、実施形態による電動機用ファンカバーの構成を説明する。図５は、前記実施形態による電動機用ファンカバーに備わる連結金具の構成を示す斜視図である。図６は、前記実施形態による電動機用ファンカバーの構成を示す斜視図であり、図１と異なる方向から一対の分割ファンカバーを観ている。
【００２８】
図１から図４を参照すると、本発明に一実施形態による電動機用ファンカバー（以下、ファンカバーと略称する）４は、ファン３の周囲及び背面側を覆って、ファン３を防護している。
【００２９】
図１から図６を参照すると、ファンカバー４は、一対の分割ファンカバー４１・４１と二組の連結金具４２・４２を備えている。一対の分割ファンカバー４１・４１は、ファン３の軸中心を通る仮想の線分を軸に線対称に半分割されている。
【００３０】
図１から図６を参照すると、分割ファンカバー４１は、背面板４１ａと帯状の円弧片４１ｂを有している。背面板４１ａは、ファン３を軸方向から覆っている。又、背面板４１ａは、ファン３の軸中心から１８０度の中心角を有して開角している。円弧片４１ｂは、背面板４１ａの端縁が屈曲されて、ファン３を外周方向から覆っている。
【００３１】
図１から図６を参照すると、連結金具４２は、一対の分割ファンカバー４１・４１が有底円筒を形成するように、一対の分割ファンカバー４１・４１を相互に着脱自在に連結できる。そして、一対の分割ファンカバー４１・４１は、回転又は遠心方向に離反できるように一体化されて、ハウジング１の端部に取り付けられている（図２又は図４参照）。
【００３２】
図５を参照すると、連結金具４２は、鉤状のフック４２ａ、傾倒自在なレバー４２ｂ、及びループ４２ｃを有している。フック４２ａは、円弧片４１ｂの端部に取り付けられている。レバー４２ｂは、隣接する円弧片４１ｂの端部に取り付けられている。
【００３３】
図５を参照すると、ループ４２ｃは、その一方の端部がレバー４２ｂと回動自在に連結している。ループ４２ｃは、その他方の端部をフック４２ａに係合できる。レバー４２ｂを一方の方向に傾倒すると、ループ４２ｃがフック４２ａを引き寄せて、一対の分割ファンカバー４１・４１を連結できる。レバー４２ｂを他方の方向に傾倒すると、ループ４２ｃとフック４２ａの係合を解除でき、一対の分割ファンカバー４１・４１を遠心方向に向けて、分離できる。
【００３４】
［電動機用ファンカバーの作用］
次に、実施形態によるファンカバー４の構成を補足しながら、ファンカバー４の作用及び効果を説明する。
【００３５】
図２又は図４を参照すると、電動機１０の背面側（ファンカバー４の取り付け側）には、例えば、図示しない配管などが設置されている。従来のファンカバーは、円筒状に形成されていたので、このファンカバーを背面側に移動すると、配管に当接して、ファンカバーを電動機１０から取り外すことが困難であった。
【００３６】
一方、実施形態によるファンカバー４は、半分割された一対の分割ファンカバー４１・４１で構成されている。したがって、図２に示されるように、一対の分割ファンカバー４１・４１を一体化した状態から、連結金具４２による連結を解除すると、一対の分割ファンカバー４１・４１を遠心方向に移動でき（図１参照）、ファンカバー４をハウジング１から容易に取り外すことがきる。
【００３７】
図１を参照すると、離間した一対の分割ファンカバー４１・４１を相互に近づけて、ハウジング１の端部（実体としてエンドプレート１ｂ）を囲った後に、これらの分割ファンカバー４１・４１を９０度程度に回転することが好ましい。図２に示されるように、連結金具４２が左右（水平状態）に移動でき、連結金具４２の操作が容易になるからである。
【００３８】
図２を参照すると、一対の分割ファンカバー４１・４１を連結金具４２で連結した後は、円弧片４１ｂに開口した一対の止めねじ用の穴４１１・４１１を利用して、止めねじ（図示せず）でファンカバー４をハウジング１の端部に固定できる。
【００３９】
図１から図５を参照すると、前述の手順と逆の手順を実行することにより、ファンカバー４をハウジング１から容易に取り外すことができる。最初に、止めねじ（図示せず）を外して、ファンカバー４の固定を解除する。次に、一対の分割ファンカバー４１・４１の連結を解除する。次に、一対の分割ファンカバー４１・４１を略９０度に回転すれば、一対の分割ファンカバー４１・４１をハウジング１から容易に取り外すことができる。
【００４０】
図６を参照すると、円弧片４１ｂは、ハウジング１の端部に弾性をもって当接する波状板４１ｃを内壁に取り付けている。このような波状板４１ｃを円弧片４１ｂの内壁に設けることにより、止めねじ（図示せず）でファンカバー４を固定することなく、ファンカバー４をハウジング１の端部に挟着できる。
【００４１】
図１から図６を参照すると、背面板４１ａは、複数の通風孔４１２を開口している。一対の分割ファンカバー４１・４１を一体化した状態では、これらの通風孔４１２を従来のファンカバーと同じ領域に開口している。したがって、従来と同じ冷却性能を維持することができる。
【００４２】
分割ファンカバー４１は、硬質の合成樹脂を成形してもよく、金属板を成形してもよい。又、一対の分割ファンカバー４１・４１は、有底筒状の成形品を半分割に裁断してもよい。連結金具４２は、例えば、市販のパッチン錠を利用することができる。
【００４３】
図１から図６を参照すると、実施形態によるファンカバー４は、ファン３の軸中心を通る仮想の線分を軸に線対称に半分割された一対の分割ファンカバー４１・４１で構成しているが、本発明によるファンカバーは、半分割された一対の分割ファンカバー４１・４１に限定されない。
【００４４】
本発明によるファンカバーは、ファン３の軸中心を中心として点対称になるように分割された複数の分割ファンカバーで構成してもよい。つまり、本発明によるファンカバーは、三つに分割してもよく、四つに分割してもよく、電動機の外径に対応して適宜な分割数を選択できる。
【符号の説明】
【００４５】
１  ハウジング
２ａ  出力軸
２ｂ  回転軸
３  ファン
４  ファンカバー（電動機用ファンカバー）
１０  電動機
４１  分割ファンカバー
４１ａ  背面板
４１ｂ  円弧片
４２  連結金具
【図１】
0005213921.tif 000002
【図２】
0005213921.tif 000003
【図３】
0005213921.tif 000004
【図４】
0005213921.tif 000005
【図５】
0005213921.tif 000006
【図６】
0005213921.tif 000007